(57)【特許請求の範囲】
【請求項１】
第１の側板と、
前記第１の側板から隔置された第２の側板と、
前記第１の側板に第１の回転軸線を中心として回転自在に結合され、前記第２の側板に第２の回転軸線を中心として回転自在に結合された第１の交差ブレース・ブラケットと、
前記第１の側板に前記第１の回転軸線を中心として回転自在に結合され、前記第２の側板に前記第２の回転軸線を中心として回転自在に結合され、前記第１の交差ブレース・ブラケットから隔置された第２の交差ブレース・ブラケットと、を含むケーブルマネジャーであって、
前記第１の側板、前記第２の側板、前記第１の交差ブレース・ブラケット、および前記第２の交差ブレース・ブラケットは、第１の複数のケーブルを経路指定するための第１のケーブル通路ならびに第２の複数のケーブルを経路指定するための第２のケーブル通路を画定する、ケーブルマネジャー。
【請求項２】
前記ケーブルマネジャーは、閉位置から開位置に回転する、請求項１に記載のケーブルマネジャー。
【請求項３】
前記閉位置において、前記第１の交差ブレース・ブラケット及び前記第２の交差ブレース・ブラケットが、前記第１の側板及び前記第２の側板に対して平行に延在している、請求項２に記載のケーブルマネジャー。
【請求項４】
各交差ブレース・ブラケットに摺動可能に連結されたロッキング・ブラケットをさらに含む、請求項２に記載のケーブルマネジャー。
【請求項５】
前記ロッキング・ブラケットは、前記ケーブルマネジャーを前記開位置でロックする、請求項４に記載のケーブルマネジャー。
【請求項６】
前記第１の側板に除去可能に結合され、そこから第１の方向に外方に延びる第１の複数の指状部をさらに含む、請求項１に記載のケーブルマネジャー。
【請求項７】
前記第２の側板に除去可能に結合され、そこから前記第１の方向に外方に延びる第２の複数の指状部をさらに含む、ケーブルマネジャーであって、前記第１の複数の指状部および前記第２の複数の指状部は、前記第１のケーブル通路をさらに確定する、請求項６に記載のケーブルマネジャー。
【請求項８】
前記第１の側板に除去可能に結合され、そこから前記第１の方向と対向する第２の方向に外方に延びる第３の複数の指状部をさらに含む、請求項７に記載のケーブルマネジャー。
【請求項９】
前記第２の側板に除去可能に結合され、そこから前記第２の方向に外方に延びる第４の複数の指状部をさらに含む、ケーブルマネジャーであって、前記第３の複数の指状部および前記第４の複数の指状部は、前記第２のケーブル通路をさらに確定する、請求項８に記載のケーブルマネジャー。
【請求項１０】
前記側板に除去可能に結合されたドア・ブラケットをさらに含む、請求項１に記載のケーブルマネジャー。
【請求項１１】
前記ドア・ブラケットに回転自在に結合されたドアをさらに含む、請求項１０に記載のケーブルマネジャー。
【請求項１２】
前記交差ブレース・ブラケットは、ＥＩＡ−３１０規格に従って隔置された、請求項１に記載のケーブルマネジャー。
【請求項１３】
前記交差ブレース・ブラケットに除去可能に結合された板をさらに含む、請求項１に記載のケーブルマネジャー。
【請求項１４】
前記交差ブレース・ブラケットに除去可能に結合された多重の深さの張力緩和棒材をさらに含む、請求項１に記載のケーブルマネジャー。
【請求項１５】
前記第１の複数の指状部に除去可能に結合されたケーブル・リングをさらに含む、請求項７に記載のケーブルマネジャー。
【請求項１６】
前記ケーブル・リングは、第３のケーブル通路を前記第１のケーブル通路内に確定する、請求項１５に記載のケーブルマネジャー。
【請求項１７】
前記第１のケーブル通路の容積は、前記第２のケーブル通路の容積と等しい、請求項１に記載のケーブルマネジャー。
【請求項１８】
前記第１のケーブル通路の容積は、前記第２のケーブル通路の容積より大きい、請求項１に記載のケーブルマネジャー。
【請求項１９】
各側板は、複数の切欠きを換気のために備える、請求項１に記載のケーブルマネジャー。
【請求項２０】
前記切欠きは、対応する切欠きとラックで位置合わせされている、請求項１９に記載のケーブルマネジャー。
【発明の詳細な説明】
【技術分野】
【０００１】
一般に、本発明は、通信ネットワーク機器ラックのためのケーブル管理装置に関する。具体的には、本発明は、銅ケーブルおよびファイバ・ケーブルの管理のための改良型の垂直ケーブルマネジャーに関する。
【背景技術】
【０００２】
ケーブルマネジャーは、通信機器およびコンピュータなどの電子機器のワイヤおよびケーブルを経路指定することで公知である。これらのワイヤおよびケーブルは、ＵＴＰケーブル、ＳｃＴＰケーブル、データ、音声、映像および／または聴覚情報を送信可能な同軸ケーブルならびに光ファイバ・ケーブルを含む。ネットワーク機器ラックは、通信システム内で電子機器および配線盤を担持することで公知である。ケーブルマネジャーは通常、機器ラックに関連して使用されて、系統的な手法でワイヤおよびケーブルを電子機器および配線盤から受取り及びこれらに対して受取られ、またワイヤおよびケーブルを電子機器および配線盤から経路指定され及びこれらに対して経路指定する。
【０００３】
現在のケーブルマネジャーは、完全に組み立てられた状態で輸送され、大きな容器が輸送され設置場で受け取って対処される必要がある。ケーブルマネジャーを含む容器は、実質的な空間容積をケーブルマネジャーを形成する部材の間に含み、これは空間容積を輸送する輸送費を増加する。
【０００４】
さらに、通常のケーブルマネジャーは、電子機器および／または配線盤との間のケーブルおよびワイヤを受け取り、かつ経路指定するよう適合された外向きに突出している指状部を含む。一部のケーブルマネジャーでは、指状部がケーブルマネジャー構造物上に固定して装着されており、これは輸送されるケーブルマネジャーの容積が増加し、したがって輸送費が増加する。
【０００５】
さらに、現在のケーブルマネジャーは、追加のＥＩＡ−３１０規格寸法の電子機器または他の機器をケーブルマネジャーに装着するためにケーブルマネジャーを利用するように構成されていないため、通信システムの容量が制限される。通常のケーブルマネジャーでは、指状部を担持する側板間の空間は、ケーブルマネジャーを担持する交差ブレース・ブラケットが不規則に離間し、ＥＩＡ−３１０規格寸法の機器に対して取り付けサポートして作用できないので、十分に活用されない。
【０００６】
また、現在のケーブルマネジャーは、通信システムの高密度スイッチ応用のパッチ領域から経路指定された大量の銅ケーブルに比べて、筐体から経路指定された少量のファイバ・ケーブルに対して別個の垂直経路を画定しない。ファイバ・ケーブルおよび銅ケーブルの通路を分離させることにより、大量のより大きな銅ケーブルで詰まっていない通路でのファイバ・ケーブルの取扱い、および供給がより容易になる。さらに、１つまたは複数の銅ケーブルを同じ通路で操作するときにファイバ・ケーブルを破損する可能性が、非常に減少する。
【０００７】
さらに、ケーブルマネジャーを通って銅およびファイバのワイヤおよびケーブルを結束して固定するよう、増強された能力を有するケーブルマネジャーを提供することは有利であろう。垂直ケーブルマネジャーを形成する側板間の空間は、ケーブルおよびワイヤを結束する場所を提供す為に理想的には十分な張力緩和棒材を用意するように適している、  
【０００８】
また、配線盤および電気コードなどの通常機器ラックに装着されている電子機器は、発熱し、ケーブルマネジャーに設計されたこれらの装置の温度管理を必要とする。ケーブルマネジャーの適切な換気ポートは、ケーブルマネジャー内外の空気循環を可能にするのに役立つことが可能である。
【発明の概要】
【０００９】
本発明は、電子機器に取り付けられたワイヤおよびケーブルを経路指定し保持するための改良型の垂直ケーブルマネジャーに関する。
【００１０】
本発明のケーブルマネジャーの一実施形態は、扁平な梱包の選択肢を提供し、それによってケーブルマネジャーは、薄く扁平な構成で輸送でき、輸送費を削減し、設置場で受け取って容易に対処でき、かつケーブルマネジャーをその容器から取り出すときに発生される無駄な梱包材料を削減する。この実施形態では、ケーブルマネジャーの対向する側板間の交差ブレースが、側板に蝶番で連結されて、一方の板によって隣接する他方の板を輸送用に折り畳むことが可能になる。本発明はまた、ケーブルマネジャーが一旦最終ユーザによって設置されると、ケーブルマネジャーが折り畳まれるか、またはつぶれるのを防止する、独自のロッキング・ブラケットも含む。別の実施形態では、修正されたロッキング・ブラケットによって、ケーブルマネジャーおよびロッキング・ブラケットを顧客に輸送する前に、工場組立済みにすることが可能である。
【００１１】
別の実施形態では、ケーブルマネジャーの指片部が、指片部を側板にキースロット（keyed slot)に挿入し、指片部を所定の位置に摺動させることにより、ケーブルマネジャー板に除去可能に取り付けられる。本発明のケーブルマネジャーの別の実施形態では、指片部は、各側板の縁端部の周囲を覆い、縁端部上にパチンとはまる。指片部は、ケーブルマネジャーの側面に其の部分をつけるために、指片部の背部に沿ったスナップ構造および溝構造の組合せを含む。指片部はまた、丸みを帯びた縁端部を有し、ケーブルおよびワイヤをケーブルマネジャーに入出させるときに、ケーブルおよびワイヤをマネジャー壁の鋭い金属縁端部から保護する。
【００１２】
別の実施形態では、本発明は、ケーブルマネジャー上に所定の間隔で装着された複数の交差ブラケットを含むケーブルマネジャーの設計方法論および構造を含む。各交差ブラケットは通常、ラック用途に使用するケージナットを受け入れるように適合された正方形の取付切欠きの水平直線配列を含む。該切欠きは、ＥＩＡ−３１０規格に従って水平に離間される。取付切欠きの底部列の中心線は、交差ブラケットの切欠きの頂部列の中心線から真下に特定の間隔で離間されている。
【００１３】
別の実施形態では、本発明は、ケーブルマネジャーの１つまたは複数の指状部に摺動可能に、かつ交換可能に装着されたＤリングを含み、大量な銅ケーブルの垂直通路に比べて、独立した垂直通路を通信システムのファイバ・ケーブルのために提供する。Ｄリングは、ファイバ・ケーブルの入出場所に位置合わせした恣意の位置に、指状部に沿って移動可能である。Ｄリングは、指状部に１８０度離れた２か所で装着されるように適合されている。
【００１４】
本発明のケーブルマネジャーの別の実施形態は、ケーブルマネジャーの垂直の銅ケーブルおよびファイバ・ケーブルチャンネルに外側に延びる改良型の垂直に装着された張力緩和棒材を含み、ケーブルマネジャー構造にワイヤおよびケーブルの固定取付が適している経路指定されるケーブルを通る空間に追加の場所を提供する。隣接した交差ブレース間のＥＩＡ−３１０の垂直空間により、配線盤および張力緩和棒材などの様々な容量ならびにタイプの付属品が交差ブレース上に装着可能になる。本開示の張力緩和棒材は、大きな束のケーブルおよびワイヤを該マネジャーの交差部材の基幹に固定するのに役立ち、追加のケーブルの束を交差ブレースによって形成された基幹から水平にさらに離れて配置する。エンドユーザは、次に大量の結束した位置を通ってケーブルマネジャーの空間の利点を十分に活用することができ、該マネジャー内の異なる位置に経路指定された異なるタイプのケーブルおよびワイヤを分離させることができる。
【００１５】
本発明の別の実施形態では、ケーブルマネジャーの骨組部材は、電子システム部品によって生成された暖気の換気が可能な穿孔の型を含む。本発明は、数タイプの穿孔の型を含む。穿孔によって、様々な電子部品のファンが十分に空気を循環させて、構成部品を過熱から保護できる。ある種の穿孔の選択肢はまた、ケーブルを結束する場所を提供する一方で、依然として十分な換気を提供可能にする。
【００１６】
本発明の一部の例は、添付図面に示されている。図面は、必ずしも一定の縮尺ではなく、本発明の理解に必要ない、または理解が困難な他の詳細を表示する詳細は、省略され得ることを理解されたい。本発明は当然のことながら、必ずしも本明細書に示された特定の例に限定されないことも理解されたい。
【図面の簡単な説明】
【００１７】
【図１】電子機器を担持する、または格納するのに使用する中継ラックに取り付けられた従来技術のケーブルマネジャーの正面および側面の斜視図である。
【図２】本発明の一実施形態による蝶番で連結された交差ブレースを有する垂直ケーブルマネジャーの正面および側面の斜視図である。
【図３】図２の３−３線に沿って完全に開いたケーブルマネジャーを示す、図２のケーブルマネジャーの上面断面図である。
【図４】部分的につぶれた位置のケーブルマネジャーの側板、および該マネジャーの各側板に対して部分的に回転させた交差ブレース・ブラケットを示す、図２および図３のケーブルマネジャーの上面断面図である。
【図５】ケーブルマネジャーの側板に対して完全に枢動した交差ブレース部材、および完全につぶれた位置の側板を示す、図２、図３および図４のケーブルマネジャーの上面断面図である。
【図６】図２の蝶番で連結したケーブルマネジャーをその開位置で固定するためのロッキング・ブラケットの正面斜視図である。
【図７】図２の蝶番で連結したケーブルマネジャーの交差ブレース上に組み立てる直前の１対のロッキング・ブラケットの分解詳細斜視図である。
【図８】図６のロッキング・ブラケットの突起部、およびケーブルマネジャーの側板に装着した蝶番部分の対応する開口の詳細斜視図である。
【図９】ケーブルマネジャーの交差ブレースの上端および底端に亘って組み立てられ固定された図６および図７のロッキング・ブラケットの詳細斜視図である。
【図１０】本発明のロッキング・ブレースの別の実施形態の詳細斜視図である。
【図１１】蝶番で連結した交差ブレースの枢動を制限するタブを含む、交差ブレース上に装着された図１０のロッキング・ブレースの詳細斜視組立図である。
【図１２Ａ】交差ブレースを本発明のケーブルマネジャー側板に枢動可能に取り付けるのに使用する数種の蝶番の詳細斜視図である。
【図１２Ｂ】交差ブレースを本発明のケーブルマネジャー側板に枢動可能に取り付けるのに使用する数種の蝶番の詳細斜視図である。
【図１２Ｃ】交差ブレースを本発明のケーブルマネジャー側板に枢動可能に取り付けるのに使用する数種の蝶番の詳細斜視図である。
【図１３】ケーブルマネジャーの側板のキースロットに取り付ける前の指片部を示す、本発明の一実施形態の斜視分解図である。
【図１４】指片部がケーブルマネジャーの各側板の縁端部の周囲を覆う、本発明の別の実施形態の斜視分解図である
【図１４Ａ】指片部をケーブルマネジャーの側板に取り付ける、本発明の一実施形態で使用する釣り針型スナップの詳細図である。
【図１５】指片部をケーブルマネジャーの側板に取り付けるスナップおよび溝のある取付構造の組合せを利用する、本発明の一実施形態の詳細斜視図である。
【図１６】ケーブルマネジャーの側板に挿入した指片部の詳細断面図である。
【図１７】溝のある指片部取付フランジの丸みを帯びた縁端部の上を通って経路指定されたケーブルを示す、ケーブルマネジャーの側壁に装着された指状部の詳細断面図である。
【図１８】規格ＥＩＡ−３１０付属構成部品をケーブルマネジャーに装着可能にする所定の距離をとって広げられた交差ブレースを示す、指片部を装着し、蝶番で連結した組み立てられた交差ブレースのケーブルマネジャーの正面斜視図である。
【図１９】本発明のケーブルマネジャーの一実施形態の交差ブレース部材の平面図である。
【図２０】交差ブレース・ブラケットに隣接する正方形の切欠きの列の間の距離を示す、図１８のケーブルマネジャーの詳細立面図である。
【図２１】２つの隣接した交差ブレース・ブラケットを組み立て直前の典型的な構成部品板を示す、図１８のケーブルマネジャーの詳細斜視分解図である。
【図２２】部品ラックの隣に取り付けられた本発明の垂直ケーブルマネジャーを備えた典型的な部品ラックを有し、ラック上に装着した構成部品間のワイヤおよびファイバ・ケーブルの指定経路を示す、本発明の一実施形態の正面立面図である。
【図２３】一つの指状部に摺動可能に取り付けられたＤリングを使用して銅ケーブルの経路指定および光ファイバ・ケーブルの経路指定のための個別の通路を生成する本発明の一実施形態を示す、２３−２３線に沿った図２２の垂直ケーブルマネジャーの上面断面図である。
【図２４】一つの指状部に摺動可能に取り付けられた第１の構成を有するＤリングを備えた、図２２のケーブルマネジャーの側壁に取り付けられた指片部の詳細斜視図である。
【図２５】一つの指状部に摺動可能に取り付けられた第２の構成を有するＤリングを備えた、図２２のケーブルマネジャーの側壁に取り付けられた指片部の詳細斜視図である。
【図２６】図２５に示したＤリングの詳細斜視図である。
【図２７】図２６のＤリングの上面詳細図である。
【図２８】指片部の第１の側面に組み立てられたＤリングを概略的に示す、図２６のＤリングの上面詳細図である。
【図２９】指片部の第２の側面に組み立てられたＤリングを概略的に示す、図２６のＤリングの上面詳細図である。
【図３０】指片部の第２の側面に装着されたＤリングを示し、ファイバ・ケーブルのための指定経路を銅ケーブルから指片部の反対側に生成する、図２２のケーブルマネジャーの上面断面図である。
【図３１】大量のファイバ・ケーブルの通路を銅ケーブルの指定経路から分離して生成するために単一の指状部に摺動可能に装着された複数のＤリングを示す、図２２のケーブルマネジャーの上面断面図である。
【図３２】２つの軸方向に位置合わせされた指状部に摺動可能に装着された２つのＤリングを示す、図２２のケーブルマネジャーの上面断面図である。
【図３３】通常部品ラックに水平に装着され、ケーブルの結束として使用される従来技術の張力緩和棒材の斜視図である。
【図３４】本発明のケーブルマネジャーの２つの隣接する交差ブレース・ブラケットの間に垂直に取り付けられたことを示す、図３３の張力緩和棒材の斜視図である。
【図３５】本発明に従って構成された張力緩和棒材の一実施形態の詳細斜視図である。
【図３６】本発明のケーブルマネジャーの２つの交差ブレース・ブラケットに垂直に装着された、図３５の張力緩和棒材を示す斜視詳細図である。
【図３７】本発明に従って構成された張力緩和棒材の別の実施形態の斜視図である。
【図３８】本発明のケーブルマネジャーの交差ブレース・ブラケットの両側に取り付けられた図３７の複数の張力緩和棒材を示す、本発明の一実施形態の正面斜視図である。
【図３９】ケーブルマネジャーの交差ブレース・ブラケットに装着された図３５および図３７の張力緩和棒材を示す、図３８のケーブルマネジャー組立体の上面断面図である。
【図４０】２つの張力緩和棒材に結束された複数のケーブルを示す、図３８に示されたケーブルマネジャー組立体の上面断面図である。
【図４１】構成部品なしで示され、ラックの側壁の換気開口部の位置を示す、典型的な部品ラックの正面斜視図である。
【図４２】密集した多数の開口部により一実施形態に提供され、かつ換気部に加えて結束機能を提供するＵ型の切欠きを使用する別の実施形態に提供された換気部を示す、図４１のケーブルマネジャーの側面立面図である。
【図４３】長方形の切欠きにより一実施形態に提供された、かつ換気部と同様に結束機能も提供する密集した多数の通過開口部により別の実施形態に提供された換気部を示す、図４１のケーブルマネジャーの側面立面図である。
【図４４】本発明の代替的実施形態によるケーブルマネジャーの斜視図である。
【図４５】側板および交差ブレース・ブラケットを示す、図４４のケーブルマネジャーの斜視図である。
【図４６】ドア・ブラケットの取付けを示す、図４５のケーブルマネジャーの詳細斜視図である。
【図４７】ドア・ブラケットの取付けを示す、図４６のケーブルマネジャーの詳細斜視図である。
【発明を実施するための形態】
【００１８】
図１を参照すると、電子部品ラック１２に取り付けられたケーブルマネジャー１０の一例が示されている。ラック１２は、当業者に公知のＷＥＣＯおよびＥＩＡ規格に従ったラックを含む。ラック１２は、垂直部材１６に沿った複数のラック装着開口１４を備える。ケーブルマネジャー１０は、当業者に公知の方法を介してラック１２に固定され得る。ケーブルマネジャー１０がラック１２に装着された後、複数のケーブル１２８、１３２（図２２）は、電子機器および配線盤から経路指定され及びこれらに対して経路指定する。ケーブル１２８、１３２は、以下に説明するように、ケーブルマネジャー１０に取り付けられた指状部１８によって形成された水平突起の間に見出される開口１７を通って経路指定され得る。各指状部１８は、指状部１８間に形成された開口１７にケーブルを保持するのに役立ち、ケーブル１２８、１３２が開口１７から落ちるまたは外れることを実質的に防止する、垂直に延びるタブ２０を含む。
【００１９】
図２に示されるように、ケーブルマネジャー１０は、複数の交差ブレース・ブラケット２６によって結合され且つ対向して広がり垂直に延びる、２つの側板２２、２４を含み、交差ブレース・ブラケット２６は、本発明の一部の実施形態では、以下にさらに詳述するように、各側板２２、２４の内面に枢動可能に結合される。あるいは、図２１および図４６に示されるように、交差ブレース・ブラケット２６は、側板２２、２４に剛結合される。外方に突出する指状部１８の多数の片部２８は、各側板２２、２４の反対側のサイドフランジ３０に取り付けられる。
【００２０】
図３は、断面で、完全に開位置にあるケーブルマネジャー１０を示す。各側板２２は、各ブラケット３２に装着された枢動点３４を有する、側方に延びる装着ブラケット３２を含む。交差ブレース・ブラケット２６は、以下に説明の目的で枢動点３４での各装着ブラケット３２の近傍に枢動可能に取り付けられるが、両端には取付けられない。枢動点３４の軸は、ケーブルマネジャー１０の側板２２、２４からずれている。
【００２１】
図４は、部分的に折り畳まれた位置にあるケーブルマネジャー１０を示す。側板２２が側板２４に向かって移動すると、交差ブレース・ブラケット２６はケーブルマネジャー１０が図５に示すようにその完全に折り畳まれた位置に到達するまで、枢動点３４を中心に回転する。その折り畳まれた位置では、ケーブルマネジャー１０は、側板２２、２４及び指状部１８を相互に平行を保持して、実質的に扁平な特徴を有する。折り畳まれた位置では、ケーブルマネジャー１０は、図５に示されるように、交差ブレース・ブラケットの長さに沿って交差ブレース・ブラケット２６と接触することになる。
【００２２】
エンドユーザがケーブルマネジャー１０をその折り畳まれた構造で受け取ると、ユーザはケーブルマネジャーを図３に示したようにその開位置で広げる。各交差ブレース・ブラケット２６の端部は、枢動点３４を超えて外方に延びる突出部分３６を有する。図３に示されるように、ケーブルマネジャー１０の完全な開位置では、各突出部分３６は、隣接装着ブラケット３２の側方に延びる表面に隣接し、したがって各交差ブレース・ブラケット２６が側板２２、２４の平面から９０度を超えてさらに回転することを回避させ、その結果交差ブレース・ブラケット２６は、各側板２２、２４および指状部１８と垂直になる。
【００２３】
ケーブルマネジャー１０の折り畳み可能な機能は、上述のように、ケーブルマネジャーをエンドユーザに扁平な容器で輸送が可能になり、そのため１つの荷台に搭載するマネジヤーの数を増加することにより輸送費を削減すること、過剰の梱包材料から無駄を解消すること、および顧客の場所での処理を改善することの利点を提供する。
【００２４】
エンドユーザがケーブルマネジャーを開き、ケーブルマネジャーを図３に示した位置に開くと、ケーブルマネジャーは所定の位置にロックされる必要がある。図６に示されたロッキング・ブラケット３８は、この目的に適合している。図６に示されたロッキング・ブラケット３８の実施形態は、一方の端部４４で湾曲した構造で連結しており、開溝４６を他方の端部４８で提供する２つの相隔たる平行な板４０、４２を備える。フランジ５０は、溝４６に以下に説明する目的のための引込線機能を提供する。ロッキング戻り止めまたは突起５２は、１つまたは複数の戻り止め５２の内面が溝４６に延在し、板４０、４２の一方または両方に形成される。ロッキング・ブラケット３８はまた、ＥＩＡ−３１０板取付着規格に従った複数の長方形の切欠き５４も含む。
【００２５】
図７、図８、および図９を参照すると、１対のロッキング・ブラケット３８の交差ブレース・ブラケット２６への取付けが示されている。図７に示したように、一方のロッキング・ブラケット３８は、交差ブレース・ブラケット２６に頂部から装着され、第２のロッキング・ブラケット３８は、底部から装着される。各ロッキング・ブラケット３８の開溝４６は、フランジ５０によって提供される導入機能の手段により、交差ブレース・ブラケット２６の上端および下端を経て所定の位置に誘導される。交差ブレース・ブラケット２６の外縁部が開溝４６の底部に到達するまで、ロッキング・ブラケット３８はブラケット２６の上を進み、１つまたは複数の戻り止め５２は、装着ブラケット３２の開口５６に留まり、ケーブルマネジャー１０がその開位置に工具を使用することなくロックされる。
【００２６】
図８に示されるように、ロッキング・ブラケット３８の一部５８は装着ブラケット３２の縁端部の上に延在し、各ロッキング・ブラケット３８が交差ブレース・ブラケット２６および装着ブラケット３２の両方の上に取り付けられるときに、装着ブラケット３２もまた開溝４６によって包囲される。説明したように取り付けられると、一部５８を伴うロッキング・ブラケット３８は、交差ブレース・ブラケット２６が装着ブラケット３２および側板２２、２４に対して枢動することを防止し、したがって図９に示されるようにケーブルマネジャー１０をその開位置に保持し、ケーブルマネジャー１０に剛性を提供する。
【００２７】
本発明のロッキング・ブラケットの別の実施形態により、修正されたロッキング・ブラケットをケーブルマネジャー１０上に工場組立済みにすることが可能になる。図１０および図１１を参照すると、修正されたロッキング・ブラケット６０は、２つの平行な板６２、６４を含み、溝６６を板の間に確定する。板６２、６４は、ロッキング・ブラケット６０の１つの端部６８で連結する。位置決めタブ７０は、板６２、６４から外方に延び、溝６６の延長部を位置決めタブ７０の間に確定する。戻り止めまたは突起７２は、位置決めタブ７０の一方または両方に形成され、該１つまたは複数の戻り止めは、該２つの位置決めタブ７０の間の溝６６に延びる。１つの停止タブ７４は、板６２の一方の側方端部から外方に延び、第２の停止タブ７６は、ロッキング・タブ７４と対向する修正されたロッキング・ブラケット６０の端部で板６４から外方に延びる。ＥＩＡ−３１０板装着規格に従う切欠き７８はまた、板６２および６４を通して延在する。
【００２８】
図１１を参照すると、誘導溝８０は、交差ブレース・ブラケット２６に形成される。修正されたロッキング・ブラケット６０が交差ブレース・ブラケット２６の上方縁端部の上を移動するときに、交差ブレース・ブラケットの縁端部は、位置決めタブ７０の間の溝６６に入る。同時に、戻り止め７２は、誘導溝８０に沿って進み、停止タブ７４、７６の底部は、ケーブルマネジャー１０の側板２２、２４に取り付けられた装着ブラケット３２の上部に対してひっかかる状態になる。図１１は、交差ブレース・ブラケット２６の縁端部が位置決めタブ７０の間の溝６６に引っかかった後だが、修正されたロッキング・ブラケット６０が交差ブレース・ブラケット２６の上に完全に取り付けられる前の、修正されたロッキング・ブラケット６０を示す。この位置で、位置決めタブ７０は、切欠き７２、誘導溝８０および摩擦の支援で、ケーブルマネジャー１０がその折り畳まれた位置（図５）で輸送中、修正されたロッキング・ブラケットを図１１に示した位置に保持する。エンドユーザが受領時、ケーブルマネジャー１０は開き状態であり（図３）、交差ブレース・ブラケット２６が溝６６にひっかかるまで、修正されたロッキング・ブラケット６０がさらに進む。同時に、ロッキング・タブ７４および７６は、装着ブラケット３２に係合して該マネジヤーが交差ブレース・ブラケット２６の折り畳まれた位置から９０度を超えて回転することを防止することになる。
【００２９】
図１２Ａ、図１２Ｂおよび図１２Ｃは、装着ブラケット３２と交差ブレース・ブラケット２６との間の枢動点３４を提供する数種の蝶番装置を示す。ケーブルマネジャー１０に対して蝶番で動かすことは、びょう、溶接、ねじ、接着剤または他の締め具などの一般に知られている組立方法で取り付け可能な、市販されている蝶番を伴うことができる。図１２Ａは、装着ブラケット３２および交差ブレース・ブラケット２６に枢動可能に結合する市販の蝶番８２を示す。図１２Ｂでは、蝶番８４は、装着ブラケット３２および交差ブレース・ブラケット２６を形成する一体化の蝶番軸８６を備える。ピン８８は、蝶番軸８６の間に挿入されて、該蝶番をともに保持し、枢動点３４を提供する。図１２Ｃは、交差ブレース・ブラケット２６の一部として一体に形成された蝶番９０を開示する。蝶番９０は、一部が開き、装着ブラケット３２の溝を通して延在する。図１２Ｃの蝶番９０は、ピンまたは追加の締め具を使用しない。当技術分野で公知の蝶番で動かす方法および構造の他の変形形態は、ケーブルマネジャー１０の構造で利用され得る。
【００３０】
本発明のケーブルマネジャー１０は、指状部１８の片部２８をケーブルマネジャー側板２２、２４の側部フランジ３０に取り付けるための構造の様々な実施形態を含む。図１３を参照すると、側板２４の両側部フランジ３０は、各フランジ３０の長さに沿って位置合わせされた、複数のキースロット９４を含む。複数の指状部１８が取り付けられた片部２８は、キースロット９４に挿入され、所定の位置に下方に摺動させて片部２８を対応する側部フランジ３０に適切に装着するように適合された複数のスナップ要素を含む。
【００３１】
図１４Ａは、別の締結する実施形態を示し、片部２８上の釣り針型スナップ９８がキースロット１０８に促される。
【００３２】
ケーブルマネジャー１０の側部フランジ３０に締結する指片部２８の別の実施形態は、図１４に示され、片部２８は、複数の指状部１８が剛結合された外面１０２を有する桁１００を含む。桁１００はまた、対応する側部フランジ３０の縁端部１０６を摩擦で受け取り保持するように適合した溝１０４を組み込む。図１４の実施形態では、桁２８もまた、側部フランジ３０に形成された溝１０８に挿入されるように適合された複数のスナップ要素９８を含む。各桁１００の溝１０４が側部フランジ３０の縁端部１０６に係合し、側部フランジ３０の縁端部１０６を受取るとき、桁１００が完全に取付位置に到達すると、スナップ要素９８は溝１０８にはめ込まれる。
【００３３】
図１５を参照すると、Ｔリブと指片部２８の桁１００に沿った溝機能の組合せは、指片部２８として側板２２、２４の側部フランジ３０に堅固に付着する。スナップ機能は、個別の締め具を除去すること、組立時間を改善すること、および材料費を削減することにより、指片部２８をケーブルマネジャー１０上に取り付ける助けとなる。指片部桁１００の背部に沿ったＴリブ１０４は、片部２８に強度および剛性を追加し、ケーブルマネジャー１０の組立中指片部２８を配置する助けとなる。
【００３４】
図１７を参照すると、桁１００の溝のある部分の外側形状は、丸みのある隅部１１０、１１１を有して、ケーブルマネジャー１０に入出させるときに、ケーブル１２８、１３２を側部フランジ３０の隣接している鋭い金属縁端部から保護する。
【００３５】
図１８に示した本発明の実施形態は、Ｑｕｉｃｋ  Ｎｅｔの配線盤、銅およびファイバ配線盤、温度管理用帰線消去板、Ｄリングおよび弛みのあるスプール、配電装置、ケーブル管理付属品、その他などの様々なＥＩＡ−３１０付属部品を装着し担持する能力を備えた垂直ケーブルマネジャー１０を提供する。これは、図１９に示した交差ブレース・ブラケット２６の独自の構造、および側板２２、２４に取り付けられた隣接した交差ブレース・ブラケット２６間の特有の間隔によって実現される。
【００３６】
図１９の交差ブレース・ブラケット２６は、該ブラケット２６の上端部および底端部に隣接した複数の水平に直線的に位置合わせされた長方形の切欠き１１２を含む。該長方形の切欠き１１２は、当技術分野で公知の、現在ラック機器に使用されているケージナットを受け入れるように適合されており、エンドユーザはインチ規格またはメートル規格の締め具を使用できる。切欠き１１２の間の水平の間隔は、ＥＩＡ−３１０規格に従っており、国際取付様式配置を利用している。たとえば、１０インチ幅のケーブルマネジャーは、最大５枚のＩＲＵ板を受け入れることが可能であり、６インチ幅のケーブルマネジャーは、最大３枚のＩＲＵ板、８インチ幅のケーブルマネジャーは、最大４枚のＩＲＵ板、１２インチ幅のケーブルマネジャーは、最大６枚のＩＲＵ板を受け入れることが可能である。図１９の交差ブレース・ブラケット２６はまた、さらに様々な形状の開口１１４を含み、弛みのある管理スプールを装着する、またはケーブルを結束する位置を提供する。
【００３７】
図２０の実施形態に示されるように、該交差ブレース・ブラケットが垂直ケーブルマネジャー１０上に組み立てられると、上部交差ブレース・ブラケット２６の取付切欠き１１２の底部列の中心線１１６は、上部交差ブレース・ブラケット２６の真下の交差ブレース・ブラケット２６Ａの切欠き１１２の上部列の中心線１１８から１８．３１インチ間隔を空けている。中心線１１６と１１８との間のこの距離は、１９インチのラック機器に対するＥＩＡ−３１０規格に従っている。
【００３８】
図２１は、電子部品の板１２０がどのようにして図２０のケーブルマネジャー１０のブラケット２６、２６Ａに取り付けられるかを示す。板１２０の上部と下部取付開口１２２との間の中心線の距離は、ＥＩＡ−３１０規格によると１８．３１インチである。板１２０は、交差ブレース・ブラケット２６、２６ａに適切な締め具を挿入することによって（図示せず）、位置合わせされている開口１２２および切欠き１１２を通って容易に装着されることが可能である。
【００３９】
本発明の別の実施形態は、個別の垂直ケーブル通路を、たとえば銅パッチケーブルとファイバ・パッチケーブルとの間などの異なったタイプのケーブルに対して提供するＤリング構造のいくつかの実施形態を含む。
【００４０】
図２２は、部品ラック１２に取り付けられた垂直ケーブルマネジャー１０を有する通常のネットワーク・スイッチ適用の正面図を示す。図２２に示されたラックは、パッチ領域１２４、ファイバ・ケーブル１２８に延在する筐体領域１２６、銅ケーブル１３２に電気的に接続されるように適合された数個のスイッチ装置１３０、およびファイバ・ケーブル１２８に電気的に接続されるように適合された数個のスイッチ装置１３４を装着する。
【００４１】
図２２に概略的に示したように、銅ケーブル１３２は、パッチ領域１２４からケーブルマネジャー１０の隣接する指状部１８の間の開口１７を横切って水平に延び、次いでケーブルマネジャー１０の側板２２と側板２４との間に延びる容積１３６（図２３）に垂直に延びる。同様の方法で、ファイバ・ケーブル１２８は、筐体領域１２６からケーブルマネジャー１０の隣接する指状部１８の開口１７を通って水平に延び、次いで容積１３６に垂直下方に延びる。
【００４２】
銅ケーブル１３２がケーブルマネジャー１０の底部に接近すると、該ケーブル１３２は、容積１３６から離れて、指状部１８間の隣接する開口１７を通ってケーブルマネジャー１０から離れて水平に延びる。銅ケーブル１３２は次に、適切なスイッチ装置１３０に結合する。ファイバ・ケーブル１２８がケーブルマネジャー１０の底部に接近すると、ファイバ・ケーブル１２８は、容積１３６から離れて、指状部１８間の隣接する空間を通ってケーブルマネジャー１０から離れて水平に延びる。各ファイバ・ケーブルは次いで、スイッチ装置１３４の適切なファイバ・ポートに結合される。
【００４３】
説明したタイプの通常の取付けでは、大量の銅ケーブル１３２は、パッチ領域１２４から、ケーブルマネジャー１０の容積１３６を通ってスイッチ装置１３０上の銅ポートに延びる。一方、通常の装置では、少量のファイバ・ケーブルのみが、筐体１２６からケーブルマネジャー１０の容積１３６を通って、スイッチ装置１３４上のファイバ・ポートに延びる。専用のファイバ・ケーブル通路を画定することによって、ケーブルがケーブルマネジャー１０の容積１３６に水平に延びると、少量のファイバ・ケーブル１２８が大量の束の銅ケーブル１３２から分離することが望ましいと判明した。
【００４４】
図２３を参照すると、ケーブルマネジャー１０に水平に伸びる容積１３６の断面図が示されている。容積１３６は、側板２２、２４、指状部１８および交差ブレース・ブラケット２６との間に垂直に延在する。垂直の容積１３６は、交差ブレース・ブラケット２６の両側に延在するが、図２３では例示を目的として、容積１３６は交差ブレース・ブラケット２６の片側のみが示されている。銅ケーブル１３２は、容積１３６でケーブルマネジャー１０に沿って垂直に延在する。以下に説明するスナップ方式の機能１４０を有するＤリング１３８は、指状部１８に摺動可能に装着される。Ｄリング１３８は、本発明の一実施形態では、専用で個別の通路１４２をファイバ・ケーブル１２８のために容積１３６に提供する。
【００４５】
Ｄリング１３８の一実施形態は、図２３および図２４に示されており、内部領域１４６を画定する環１４４、および内部領域１４６にアクセスを提供する開口１４８を含む。図２３では、Ｄリング１３８は、１つ目は側板２２に隣接した位置、２つ目は指状部１８に沿って摺動して指状部１８に隣接した第２の位置の、２つの位置に示されている。図２４は、Ｄリング１３８をその第１の位置に示す。
【００４６】
図２５は、Ｄリング１３８の別の実施形態を示し、内部領域１５０は、２つのケーブルの保持領域１５０Ａおよび１５０Ｂにケーブル保持腕部１５２によって分割される。この実施形態では、さらなるケーブル保持がファイバ・ケーブル通路に提供される。
【００４７】
図２６は、一体化のスナップ方式機能１４０を備えた図２５に示したＤリングの詳細図である。スナップ方式機能１４０は、図２４および図２５に示した両方のＤリング１３８に共通している。スナップ方式機能１４０は、Ｄリング１３８をケーブルマネジャー１０の指状部１８のいずれか１つに摺動可能に装着するように適合されている。個別のファイバ・ケーブル通路１４２は、複数の垂直に位置合わせされたＤリング１３８を数個の指状部１８に装着することにより、ケーブルマネジャー１０の実質的な垂直寸法に沿って形成されるだろう。
【００４８】
図２６および図２７を参照すると、スナップ方式機能１４０は、環１４４と一体に形成されている。スナップ方式機能１４０は、把持フランジ１５６を半円形部分１５４の両端部に有する可撓性の半円形部分１５４を含む。半円形部分１５４の湾曲した内面１５８は、切欠き圧入１６０、１６２を備える。対向する実質的に扁平な側壁１６４、１６６は、それぞれの圧入１６０、１６２から外方に延びる。
【００４９】
図２８は、ケーブルマネジャー１０の半円形フランジ１８上に装着されたＤリング１３８の概略図である。スナップ方式機能１４０は、把持フランジ１５６が湾曲面１６８上を屈曲するにつれ、指状部１８の湾曲面１６８上を進む。把持フランジ１５６が指状部１８の端部１７０に到達すると、フランジ１５６は、相互に噛み合い、指状部１８に係合する。この位置では、指状部１８の外面１６８の中央位置は、スナップ方式機能１４０の湾曲内面１５８に隣接する一方で、指状部１８の外側部分は、扁平な側壁１６４、１６６に隣接する。この手法で、スナップ方式機能１４０は、Ｄリング１３８を指状部１８にしっかりと固定し、個別のファイバ・ケーブル通路１４２を複数の垂直に位置合わせしたＤリング１３８を通って複数の指状部１８に同様に装着される。
【００５０】
各Ｄリングおよびスナップ方式機能はまた、図２８に示したように指状部１８に装着構造から１８０度回転した位置に係合する。図２９を参照すると、Ｄリング１３８が、図２８に示された連結に対して指状部１８の反対側に装着された状態を示す。図２９を参照すると、把持フランジ１５６の傾斜面１７２は、指状部１８の端部１７０が圧入１６０、１６２に格納されるまで、指状部１８の端部１７０および外面１６８の上を示した位置で進む。把持フランジ１５６は次に、フランジ１５６の先端部１７４が指状部１８の外面１６８と係合するまで、相互に戻って噛み合い、指状部１８の端部１７０を圧入１６０、１６２と強固に係合させる。したがって、同一のＤリング１３８およびスナップ方式機能１４０は、Ｄリング１３８が容積１３６の内部（図２３）または容積１３６の外部（図３０）のいずれかに存在するように、Ｄリング１３８を指状部１８に取り付けることが可能である。
【００５１】
図３１は、指状部１８に装着されたＤリング１３８を示し、該Ｄリングがどのように指状部１８の長さに沿って位置Ａと位置Ｂとの間で摺動可能に調整できるかを示す。図３１の位置Ａでは、Ｄリング１３８は、垂直ケーブルマネジャー１０に入る銅パッチケーブル１２８を有するケーブル管理指状部１８付近に配置される。位置Ｂは、Ｄリング１３８がファイバ筐体開口または地域１２６に位置合わせされたときの、該Ｄリングの位置である。図３１に示されるように、位置Ａまたは位置Ｂのいずれにおいても、ファイバ・ケーブル１２８は、容積１３６の大部分を占める銅ケーブル１３２からの分離が維持される。図３１はまた、二つのＤリング１３８が単一の指状部１８に装着されて、平行に離れたファイバ・ケーブル通路１４２を垂直ケーブルマネジャー１０を通って提供可能であることを示す。
【００５２】
図３２は、１対のＤリング１３８がどのように対向して延在する２つの指状部１８に摺動可能に取り付けられて、容積１３６で平行なファイバ・ケーブル通路１４２を交差ブレース・ブラケット２６の両端に形成することができるかを示す。Ｄリング１３８は、内方または外方のいずれにも取り付け可能である。
【００５３】
本発明の一実施形態は、ケーブル１３２または１２８の束をケーブルマネジャー１０の多重の深さの容積１３６に装着するために、また該ケーブル上の張力を軽減させるために、複数のケーブルの結束位置を提供する。図３３は、通常、現在のケーブルマネジャーまたは機器ラックに水平に装着されてケーブルを結束する助けとなる張力緩和棒材１７６を示す。本発明では、図３４に示されているように、張力緩和棒材１７６は、ＥＩＡ−３１０規格に従った寸法であり、一端にブラケット１７７を装着することによって、上部交差ブレース・ブラケット２６Ａに組み立てられた下部修正されたロッキング・ブラケット６０Ａに形成された長方形の切欠き７８Ａに取り付けられている。張力緩和棒材１７６の他方の端部は、下部交差ブレース・ブラケット２６Ｂに適切な締め具によって組み立てられた上部修正されたロッキング・ブラケット６０Ｂに形成された長方形の切欠き７８Ｂに取り付けられている。垂直にもしくは水平に経路指定された銅ケーブル１３２またはファイバ・ケーブル１２８は、当技術分野で公知のように、張力緩和棒材１７６に結束バンドまたは他の締結装置で取り付け得ることは、明白である。
【００５４】
本発明の改良型の張力緩和棒材は、多数の結束位置をケーブルマネジャー１０の容積１３６の横断方向に水平の寸法を提示する。図３５に示された張力緩和棒材１７８は、３つの支柱１７８Ａ、ＢおよびＣを含む。図３６を参照すると、張力緩和棒材１７８の装着ブラケット１７７が長方形の切欠き７８ＡおよびＢに適切な締め具によって取り付けられると、上部修正された及び下部修正されたロッキング・ブラケット６０Ａ及び６０Ｂに、または交差ブレース・ブラケット２６ＡおよびＢに取り付けられ、支柱１７８Ａ，ＢおよびＣは、ケーブルマネジャー１０の容積１３６に側外方向に延びる。図３４と図３６を比較すると、張力緩和棒材１７８（図３６）は、単一の支柱張力緩和棒材１７６（図３４）より水平方向にさらに外方に延び、ケーブルマネジャー１０の容積１３６を通って経路指定されたケーブル１２８、１３２に対して追加された結束位置を提供することは明白である。
【００５５】
図３および図２３を参照すると、交差ブレース部材２６は、側壁２２，２４に取り付けられた指状部１８の間の中心から外れて配置されており、そのため容積１３６のより大きい部分１３６Ａを交差ブレース・ブラケット２６の一方の側に生成し、より小さい容積１３６Ｂを交差ブレース・ブラケット２６の他方の側に生成する。図３６に示された実施形態では、該３つの支柱１７８Ａ、ＢおよびＣは、容積１３６のより小さい部分１３６Ｂに外方に延び、３つの垂直に延びる結束位置を修正されたロッキング・ブラケット６０Ａと６０Ｂとの間、および／または隣接する交差ブレース・ブラケット２６Ａと２６Ｂとの間の容積１３６の一部１３６Ｂを通って延在するケーブル１３２に対して提供する。
【００５６】
図３７は、張力緩和棒材１７６（図３３）および１７８（図３５）の代替的実施形態を示す。図３７の張力緩和棒材１８０は、４つの支柱１８０Ａ、Ｂ、Ｃ，およびＤを備える。張力緩和棒材１８０は、溶接、ろう付け、または当技術分野で公知の他の適切な取付方法によるなど、支柱１８０Ａ、Ｂ，ＣおよびＤが取り付けられた単一側の棒１８４、１８６から作成される。
【００５７】
図３８および図３９に示されるように、複数の張力緩和棒材１７８および１８０は、それぞれの修正されたロッキング・ブラケット６０および交差ブレース・ブラケット２６に装着される。３つの支柱１７８Ａ、ＢおよびＣを備える張力緩和棒材１７８は、交差ブレース・ブラケット２６からケーブルマネジャー１０の容積１３６のより小さい部分１３６Ｂに水平に延びる。４つの支柱１８０Ａ、Ｂ、ＣおよびＤを備える張力緩和棒材１８０は、交差ブレース・ブラケット２６から容積１３６のより大きい部分１３６Ａに水平に延びる。図３８に示したように数個の隣接する交差ブレース・ブラケット２６に装着された張力緩和棒材１７８および１８０を備えて、ケーブルマネジャー１０の容積１３６を通る経路指定されたケーブルに対して多数の結束位置が提供される。
【００５８】
図４０を参照すると、複数のケーブルまたはケーブル束１３２が、張力緩和棒材１７８、１８０に結束されて示されている。各ケーブルまたはケーブル束は、ケーブルタイ１８７または当技術分野で公知の他の適切な取付手段を使用して、垂直に延びる支柱１７８Ａ、ＢおよびＣならびに１８０Ａ、Ｂ、ＣおよびＤに締結される。ケーブルマネジヤー１０の全長に実質的に沿った結束機能（図３８）は、ケーブルがケーブルマネジヤー１０内で絡み、入り混じるのを防止し、ケーブルおよびケーブル束の追跡可能性ならびに維持マネジヤーの容易さを増加する。
【００５９】
本発明はまた、ケーブルマネジヤー１０の側板２２、２４が、部品ラック１２、またはケーブルマネジヤー１０に装着された電子部品によって発生した温風の換気を提供する、数個の実施形態も含む。図２１に概略的に示したように、ケーブルマネジヤー１０によって、発熱配線盤および電源コードなどの、図２１に板１２０によって表されているように、ＥＩＡ−３１０規格水平機器の恣意的な垂直装着が可能になる。換気による熱管理は、ケーブルマネジヤー１０の内外の空気循環を側板２２、２４の選択された領域で様々な型の穿孔を介して可能になることにより、本発明に提供される。本発明の換気穿孔によって、通常は幅広いケーブルマネジャー側板によって遮断される空気を、部品ラック１２に装着された様々な電子部品のファンにケーブルマネジャー１０内部の内外に自由に通過させて冷却を促進することが可能になる。
【００６０】
図４１は、部品を装着していない典型的な部品ラック１２を示し、ラック１２に装着されるはずの電子部品の換気ファンにほぼ隣接して配置される側壁１９０に長方形の切欠き１８８を備えている。図４１に示されていないが、ラック１２の反対側の側板にもまた、切欠き１８８と同じ垂直位置に長方形の切欠きを含むはずである。
【００６１】
図４２は、ケーブルマネジャー１０の側板２２は、換気開口の２つの実施形態が側板２２を通るのを示す。一実施形態では、換気穿孔は、ケーブルマネジャー１０の容積１３６の内外に換気を提供するために近接して隔置された複数の開口１９２を備える。対向する側板２４（図示せず）は、同様に穿孔されている。図４２に示された換気穿孔の第２の実施形態では、該穿孔は、側板２２を通して延在する複数の近接したＵ型切欠きまたは開口１９４を備える。各開口１９４は、各開口１９４の中心に延びる舌部１９６を含む。舌部１９６はまた、ケーブルの結束も可能にする。対向する側板２４（図示せず）もまた、換気のためにＵ型開口１９４を含む。
【００６２】
図４３もまた、ケーブルマネジャー１０の側板２２を、側板２２を通る換気開口の２つのさらなる実施形態を伴って示している。第３の実施形態では、該換気の実施形態は、側板２２を通して延在する長方形の切欠き１９８を備える。この実施形態では、ケーブルマネジャー１０の長方形の切欠き１９８が、部品ラック１２の長方形の切欠き１８８と位置合わせされて（図４１）適切な換気を提供することが好ましい。対向する側板２４（図示せず）もまた、換気のために同様に配置された長方形の切欠き１９８を含む
【００６３】
図４３はさらに、側板２２を通して延在する換気開口およびケーブルマネジャー１０の対抗する側板２４（図示せず）の第４の実施形態を示す。この実施形態では、多数の通過開口２００が、側板２２と近接して隔置されて強度または剛性および適切な換気を提供する。各開口２００の近接はまた、ケーブル１２８、１３２をケーブルマネジャー１０に固定するためにさらなる結束部を生成する。
【００６４】
図４２および図４３に示された様々な換気の選択肢のみ、または様々な配置の組合せを使用して、適切な換気が提供され得る。さらに、開口１９２（図４２）、Ｕ型開口１９４（図４２）および通過開口２００（図４３）が、部品ラック１２の長方形の切欠き１８８と位置合わせされる（図４１）ことも好ましい。
【００６５】
本発明の一部の実施形態では、ケーブルマネジャー１０は、ドア・ブラケット２００ａ（図３８）または２００ｂ（図４４）を含む。ドア・ブラケット２００ａまたは２００ｂは、側板２２および２４に除去可能に結合される。たとえば、図４６および図４７に示されているように、ドア・ブラケット２００ｂは、側板２２の側部フランジ３０に保持クリップ２０１および保持ねじ２０２で除去可能に結合される。
【符号の説明】
【００６６】
１０  ケーブルマネジャー
１２  ラック
１４  ラック装着開口
１６  垂直部材
１７  開口
１８  指状部
２０  タブ
２２  側板
２４  側板
２６  交差ブレース・ブラケット
２８  片部
３０  サイドフランジ
３２  ブラケット
３４  枢動点
３６  突出部分
３８  ロッキング・ブラケット
４０  板
４２  板
４４  一方の端部
４６  開溝
４８  他方の端部
５０  フランジ
５２  ロッキング戻り止め（突起）
５６  開口
５８  一部
６０  ロッキング・ブラケット
６２  板
６４  板
６６  溝
６８  端部
７０  位置決めタブ
７２  戻り止め（突起）
７４  停止タブ
７８  切欠き
１２８  複数のケーブル
１３２  複数のケーブル
【図１】
0005636376.tif 000002
【図２】
0005636376.tif 000003
【図３】
0005636376.tif 000004
【図４】
0005636376.tif 000005
【図５】
0005636376.tif 000006
【図６】
0005636376.tif 000007
【図７】
0005636376.tif 000008
【図８】
0005636376.tif 000009
【図９】
0005636376.tif 000010
【図１０】
0005636376.tif 000011
【図１１】
0005636376.tif 000012
【図１２Ａ】
0005636376.tif 000013
【図１２Ｂ】
0005636376.tif 000014
【図１２Ｃ】
0005636376.tif 000015
【図１３】
0005636376.tif 000016
【図１４】
0005636376.tif 000017
【図１４Ａ】
0005636376.tif 000018
【図１５】
0005636376.tif 000019
【図１６】
0005636376.tif 000020
【図１７】
0005636376.tif 000021
【図１８】
0005636376.tif 000022
【図１９】
0005636376.tif 000023
【図２０】
0005636376.tif 000024
【図２１】
0005636376.tif 000025
【図２２】
0005636376.tif 000026
【図２３】
0005636376.tif 000027
【図２４】
0005636376.tif 000028
【図２５】
0005636376.tif 000029
【図２６】
0005636376.tif 000030
【図２７】
0005636376.tif 000031
【図２８】
0005636376.tif 000032
【図２９】
0005636376.tif 000033
【図３０】
0005636376.tif 000034
【図３１】
0005636376.tif 000035
【図３２】
0005636376.tif 000036
【図３３】
0005636376.tif 000037
【図３４】
0005636376.tif 000038
【図３５】
0005636376.tif 000039
【図３６】
0005636376.tif 000040
【図３７】
0005636376.tif 000041
【図３８】
0005636376.tif 000042
【図３９】
0005636376.tif 000043
【図４０】
0005636376.tif 000044
【図４１】
0005636376.tif 000045
【図４２】
0005636376.tif 000046
【図４３】
0005636376.tif 000047
【図４４】
0005636376.tif 000048
【図４５】
0005636376.tif 000049
【図４６】
0005636376.tif 000050
【図４７】
0005636376.tif 000051